(57)【要約】【課題】アンテナに対する電力供給の切り替えが行われたとしても放送信号を確実に受信し得る受信装置を提供する。【解決手段】放送信号Ｓｂを受信するアンテナ３に対して電力Ｐを供給可能な電源部２７と、電力Ｐの供給によってアンテナ３に印加されている電圧を検出する電圧検出部２６と、電圧検出部２６によって検出された検出電圧が下限値Ｖｌ以下のときに電源部２７からアンテナ３に対して電力Ｐを供給させる制御部２３とを備えてアンテナ３によって受信された放送信号Ｓｂに基づく所定の処理を実行可能に構成され、アンテナ３に電力Ｐを供給可能なコンデンサ２８を備え、制御部２３は、アンテナ３に対する電源部２７からの電力供給に先立ってコンデンサ２８からアンテナ３に対して電力Ｐを供給させると共に、その後にコンデンサ２８からの電力供給を電源部２７からの電力供給に切り替える。【選択図】図１
2008131061.tif 000002
【特許請求の範囲】
【請求項１】
放送信号を受信する受信アンテナに対して電力を供給可能な電源部と、電力の供給によって前記受信アンテナに印加されている電圧を検出する検出部と、前記検出部によって検出された検出電圧が基準電圧以下のときに前記電源部から前記受信アンテナに対して前記電力を供給させる制御部とを備えて前記受信アンテナによって受信された前記放送信号に基づく所定の処理を実行する受信装置であって、
前記受信アンテナに電力を供給可能な蓄電素子を備え、
前記制御部は、前記受信アンテナに対する前記電源部からの電力供給に先立って前記蓄電素子から前記受信アンテナに対して電力を供給させると共に、その後に前記蓄電素子からの電力供給を前記電源部からの電力供給に切り替える受信装置。
【請求項２】
前記検出電圧を記憶する記憶部を備え、
前記制御部は、当該受信装置を除く他の外部装置から前記受信アンテナに電力が供給されている状態における前記検出電圧を前記記憶部に記憶させると共に、当該記憶されている検出電圧を前記基準電圧として用いる請求項１記載の受信装置。
【請求項３】
前記制御部は、当該受信装置を除く他の外部装置から前記受信アンテナに対して電力が供給されているときにその旨を報知させる請求項１または２記載の受信装置。
【請求項４】
請求項１から３のいずれかに記載の受信装置と、前記放送信号を受信して前記受信装置に出力する前記受信アンテナとを備えている受信システム。
【請求項５】
放送信号を受信する受信アンテナに対する電力の供給によって当該受信アンテナに印加されている電圧を検出し、当該検出した検出電圧が基準電圧以下のときに、前記受信アンテナによって受信された前記放送信号に基づく所定の処理を実行する受信装置の電源部から当該受信アンテナに対して電力を供給する電力供給制御方法であって、
前記受信アンテナに対する前記電源部からの電力供給に先立って前記受信装置の蓄電素子から前記受信アンテナに対して電力を供給し、その後に前記蓄電素子からの電力供給を前記電源部からの電力供給に切り替える電力供給制御方法。
【発明の詳細な説明】
【技術分野】
【０００１】
本発明は、受信アンテナに対して電力を供給可能な受信装置、その受信装置と受信アンテナとを備えた受信システム、および受信装置の電源部から受信アンテナへの電力の供給を制御する電力供給制御方法に関するものである。
【背景技術】
【０００２】
この種の受信装置として、特開２００３−１３３９７７号公報に開示された衛星放送受信装置（以下、単に「受信装置」ともいう）が知られている。この受信装置は、チューナ部およびシステム制御部等を備えて、衛星放送受信用のパラボラアンテナによって受信された衛星放送波から所望の衛星放送チャンネルの選局を行ってその衛星放送チャンネルのテレビジョン信号をテレビジョン受像機に出力可能に構成されている。一方、上記のパラボラアンテナは、衛星放送波を中間周波数信号に変換するダウンコンバータを備えて構成されている。この場合、一般的に、小型化およびローノイズ化のためにダウンコンバータには電力装置が備えられていないため、このダウンコンバータに外部から電力を供給する必要がある。このため、この種の受信装置には、アンテナケーブルを利用してダウンコンバータに電力を供給するダウンコンバータ用電源が備えられている。この場合、例えば、分配器を介して複数の受信装置がダウンコンバータに接続され、各受信装置からダウンコンバータに対して電力が供給されたときには、ダウンコンバータや受信装置が故障するおそれがある。このため、上記の受信装置は、ダウンコンバータに対して他の受信装置から電力が供給されているか否かを検出する比較器を備えて構成され、システム制御部が、他の受信装置から電力供給が行われていないと判別したときには、ダウンコンバータ用電源からダウンコンバータへの電力供給を開始し、他の受信装置から電力供給が行われていると判別したときにはダウンコンバータ用電源からダウンコンバータへの電力供給を停止する。
【特許文献１】特開２００３−１３３９７７号公報（第３−５頁、第２図）
【発明の開示】
【発明が解決しようとする課題】
【０００３】
ところが、上記の受信装置には以下の問題点が存在する。すなわち、この受信装置では、ダウンコンバータに対する他の受信装置からの電力供給が行われているか否かに基づいてダウンコンバータに対する電力供給の開始および停止を制御している。しかしながら、一般的に、ダウンコンバータ用電源が起動してから定常状態となるまでには多少の時間を要するため、他の受信装置からの電力供給が停止してこの受信装置からの電力供給を開始する際には、一時的に電圧が降下することがあり、この電圧降下に起因してパラボラアンテナによる放送信号の受信が一時的に困難となって放送番組の視聴に支障を来すおそれがある。また、この種の受信装置では、一般的に、受信レベルが低下したときにその旨のメッセージをＯＳＤ（On Screen Display ）表示する機能が備えられている。このため、上記の電圧降下が僅かで受信レベルが僅かに低下したときには、放送番組の映像が表示できないという不都合も生じる。
【０００４】
本発明は、かかる問題点に鑑みてなされたものであり、アンテナに対する電力供給の切り替えが行われたとしても放送信号を確実に受信し得る受信装置、受信システムおよび電力供給制御方法を提供することを主目的とする。
【課題を解決するための手段】
【０００５】
上記目的を達成すべく本発明に係る受信装置は、放送信号を受信する受信アンテナに対して電力を供給可能な電源部と、電力の供給によって前記受信アンテナに印加されている電圧を検出する検出部と、前記検出部によって検出された検出電圧が基準電圧以下のときに前記電源部から前記受信アンテナに対して前記電力を供給させる制御部とを備えて前記受信アンテナによって受信された前記放送信号に基づく所定の処理を実行する受信装置であって、前記受信アンテナに電力を供給可能な蓄電素子を備え、前記制御部は、前記受信アンテナに対する前記電源部からの電力供給に先立って前記蓄電素子から前記受信アンテナに対して電力を供給させると共に、その後に前記蓄電素子からの電力供給を前記電源部からの電力供給に切り替える。
【０００６】
また、本発明に係る電力供給制御方法は、放送信号を受信する受信アンテナに対する電力の供給によって当該受信アンテナに印加されている電圧を検出し、当該検出した検出電圧が基準電圧以下のときに、前記受信アンテナによって受信された前記放送信号に基づく所定の処理を実行する受信装置の電源部から当該受信アンテナに対して電力を供給する電力供給制御方法であって、前記受信アンテナに対する前記電源部からの電力供給に先立って前記受信装置の蓄電素子から前記受信アンテナに対して電力を供給し、その後に前記蓄電素子からの電力供給を前記電源部からの電力供給に切り替える。
【０００７】
この受信装置および電力供給制御方法によれば、受信アンテナに対する電源部からの電力供給に先立って蓄電素子から受信アンテナに対して電力を供給し、その後に蓄電素子からの電力供給を電源部からの電力供給に切り替えることにより、例えば、外部装置から受信アンテナに供給されていた電力供給が停止したときに、その時点において電源部が起動していなかったとしても、電源部が定常状態となるまでの間、蓄電素子からの電力供給によって受信アンテナに印加される電圧を適正範囲以内に確実に維持することができる。したがって、電圧低下によって受信アンテナによる放送信号の受信が困難となる事態を確実に防止することができる結果、受信アンテナに対する電力供給の切り替えを行う際においても、放送信号を確実に受信することができる。
【０００８】
また、本発明に係る受信装置は、前記検出電圧を記憶する記憶部を備え、前記制御部は、当該受信装置を除く他の外部装置から前記受信アンテナに電力が供給されている状態における前記検出電圧を前記記憶部に記憶させると共に、当該記憶されている検出電圧を前記基準電圧として用いる。
【０００９】
この受信装置によれば、制御部が、外部装置から受信アンテナに電力供給されている状態における検出電圧を基準電圧として用いることにより、記憶部に予め記憶されている基準電圧のデフォルト値を用いるのと比較して、例えば、外部装置からの電力供給が停止されて電圧が徐々に低下する際に、電力供給停止時点から蓄電素子による電力供給開始時点までのタイムラグを十分に短縮することができる。
【００１０】
また、本発明に係る受信装置は、前記制御部が、当該受信装置を除く他の外部装置から前記受信アンテナに対して電力が供給されているときにその旨を報知させる。
【００１１】
この受信装置によれば、制御部が、外部装置から受信アンテナに対して電力が供給されているときにその旨を報知させることにより、受信アンテナに接続されている外部装置の稼動状態をユーザに対して確実に報知することができる。
【００１２】
また、本発明に係る受信システムは、上記の受信装置と、前記放送信号を受信して前記受信装置に出力する前記受信アンテナとを備えている。
【００１３】
この受信システムによれば、上記の受信装置と受信アンテナとを備えたことにより、上記の受信装置が有する効果と同様の効果を実現することができる。
【発明を実施するための最良の形態】
【００１４】
以下、本発明に係る受信装置、受信システムおよび電力供給制御方法の最良の形態について、添付図面を参照して説明する。図１に示す受信システム１は、本発明に係る受信システムの一例であって、受信装置２、アンテナ（受信アンテナ）３および分配器４を備えて構成されている。受信装置２は、一例としてＢＳ（Broadcasting Satellite）チューナであって、同図に示すように、チューナ部２１、映像音声処理部２２、制御部２３、記憶部２４、操作部２５、電圧検出部２６、電源部２７、コンデンサ２８およびスイッチ２９を備えて構成されている。
【００１５】
チューナ部２１は、アンテナ３によって受信された放送信号Ｓｂ（一例として、ＢＳ放送信号）から選局操作によって選局されたチャンネルの放送信号Ｓｂを抽出処理して映像音声処理部２２に出力する。映像音声処理部２２は、例えばデスクランブラ、デマルチブレクサおよびデコーダ等（いずれも図示せず）を備えて構成され、チューナ部２１から出力された放送信号Ｓｂを信号処理して映像信号Ｓｐおよび音声信号Ｓｓを、出力端子を介して受信装置２に接続されている表示装置（例えば図１に示すテレビ１００）に出力する。なお、チューナ２１によって行われる抽出、および映像音声処理部２２によって行われる信号処理が本発明における所定の処理に相当する。
【００１６】
制御部２３は、チューナ部２１、映像音声処理部２２、および電源部２７を制御する。また、制御部２３は、図２に示す起動時電力供給処理４０、および図４に示す稼動時電力供給処理５０を実行することにより、アンテナ３に対する電力供給を行う。この場合、制御部２３は、制御信号Ｓｃを出力してスイッチ２９を切り替えることにより、アンテナ３に対する電源部２７またはコンデンサ２８からの電力供給、およびこれらによる電力供給の停止を制御する。
【００１７】
記憶部２４は、制御部２３によって実行される起動時電力供給処理４０および稼動時電力供給処理５０において用いられる下限値Ｖｌ（本発明における基準電圧）および上限値Ｖｕを記憶する。この場合、下限値Ｖｌおよび上限値Ｖｕは、アンテナ３に対する電力供給によってアンテナ３の受信回路３２（図１参照）に印加される電圧の上限および下限をそれぞれ示す値であって、一例として、下限値Ｖｌのデフォルト値として１３Ｖが、上限値Ｖｕのデフォルト値として１５Ｖが制御部２３に予め記憶されている。操作部２５は、電力スイッチおよびチャンネル選択キー等の各種のスイッチやキーを備えて構成され、これらのスイッチやキーが操作されたときに操作信号Ｓｏを出力する。
【００１８】
電圧検出部２６は、図１に示すように、ＲＦ（Radio Frequency）ケーブル２００および分配器４を介してアンテナ３の受信回路３２に接続されており、電力供給によって受信回路３２に印加される電圧の電圧値を検出して検出信号Ｓｄを制御部２３に出力する。電源部２７は、制御部２３の制御に従って受信回路３２用（アンテナ３用）の電力Ｐを出力する。コンデンサ２８は、本発明における蓄電部に相当し、例えば大容量の電気二重層コンデンサで構成されて、図外のメイン電源からの電力供給よって充電（蓄電）される。スイッチ２９は、制御部２３から出力される制御信号Ｓｃに従って作動して、電源部２７から電力Ｐを供給する状態、コンデンサ２８から電力Ｐを供給する状態、および電力供給を停止する状態のいずれかの状態に切り替え制御される。
【００１９】
アンテナ３は、例えば、ＢＳ放送信号受信用のパラボラアンテナであって、図１に示すように、放送信号Ｓｂを集束させる本体部３１と、ＬＮＢ（Low Noise Block ）などの回路を有して本体部３１によって集束された放送信号Ｓｂを信号変換する受信回路３２とを備えて構成されている。この場合、受信回路３２は、ＲＦケーブル２００を介して供給される受信装置２や他の外部装置（例えば、図１に示す外部装置３００）からの電力Ｐによって作動する。分配器４は、受信装置２および受信装置２と同様の機能を有する外部装置３００等を複数接続可能に構成され、アンテナ３から出力された放送信号Ｓｂを接続状態の各装置に分配する。
【００２０】
次に、受信システム１の全体的な動作について、図面を参照して説明する。なお、図１に示すように、分配器４には、受信装置２の他に、受信装置２と同様の機能を有する外部装置３００が接続されているものとする。また、初期状態において、受信装置２は電源が切断され、外部装置３００は既に起動しているものとする。
【００２１】
この受信システム１では、上記の初期状態において、受信装置２の電源が投入（操作部２５の電源スイッチが操作）されたときには、電圧検出部２６が、アンテナ３の受信回路３２に印加されている電圧の電圧値を検出して検出信号Ｓｄを制御部２３に出力する。また、制御部２３が、操作部２５からの操作信号Ｓｏに従って図２に示す起動時電力供給処理４０を実行する。この起動時電力供給処理４０では、制御部２３は、図外のメイン電源を制御をして、コンデンサ２８に対する充電を開始させる（ステップ４１）。次いで、制御部２３は、制御信号Ｓｃを出力することにより、スイッチ２９を電源部２７側（図１に示すＢ端子側）に切り替えさせる（ステップ４２）。
【００２２】
続いて、制御部２３は、電圧検出部２６から出力されている検出信号Ｓｄに基づいて受信回路３２に印加されている電圧の電圧値（本発明における検出電圧：以下、「検出値Ｖｄ」ともいう）を特定すると共に、記憶部２４から下限値Ｖｌ（この例では、１３Ｖ）を読み出す。次いで、制御部２３は、検出値Ｖｄと下限値Ｖｌとを比較して、検出値Ｖｄが下限値Ｖｌ未満か否かを判別する（ステップ４３）。この場合、制御部２３は、検出値Ｖｄが下限値Ｖｌ未満ではないとき（一例として、検出値Ｖｄが１４Ｖのとき）、つまり受信回路３２に外部装置３００から電力が供給されていると判別したときには、検出値Ｖｄを新たな下限値Ｖｌとして記憶部２４に上書して記憶させる（ステップ４４）。
【００２３】
続いて、制御部２３は、映像信号出力処理を開始する。この映像信号出力処理では、制御部２３は、チューナ部２１を制御して、アンテナ３から出力されている放送信号Ｓｂから、前回の電源切断時に選局されていたチャンネルの放送信号Ｓｂを抽出させて、映像音声処理部２２に出力させる。また、制御部２３は、映像音声処理部２２を制御して、チューナ部２１から出力された放送信号Ｓｂを信号処理させて映像信号Ｓｐおよび音声信号Ｓｓを出力させる。この際に、受信装置２の出力端子を介して接続されているテレビ１００が、映像音声処理部２２から出力された映像信号Ｓｐに基づくテレビ映像を表示すると共に、音声信号Ｓｓに基づくテレビ音声を出力する。次いで、制御部２３は、上記した起動時電力供給処理４０のステップ４４の実行後に、メッセージ画像Ｇｍを表示するための映像信号Ｓｐを出力する（ステップ４５）。これにより、図３に示すように、他の外部装置（この場合、外部装置３００）から既に電力が供給されている旨を示すメッセージ画像Ｇｍがテレビ１００の表示画面にＯＳＤ表示される。
【００２４】
一方、制御部２３は、起動時電力供給処理４０を終了した後に、図４に示す稼動時電力供給処理５０を実行する。この稼動時電力供給処理５０では、制御部２３は、上記した下限値Ｖｌ（この例では１４Ｖ）と上限値Ｖｕ（この例では１５Ｖ）とによって規定される範囲（以下、「基準範囲Ｖｒ」ともいう）以内に検出値Ｖｄが収まっているか否かを判別する（ステップ５１）。ここで、例えば、起動していた外部装置３００の電源が切断されたときには、外部装置３００からの電力供給も停止されて、検出値Ｖｄが０Ｖ（またはほぼ０Ｖ）となる。この際には、制御部２３は、ステップ５１において、検出値Ｖｄが基準範囲Ｖｒ以内に収まっていないと判別して、次いで、検出値Ｖｄが上限値Ｖｕ（１５Ｖ）を超えているか否かを判別する（ステップ５２）。この場合、検出値Ｖｄが０Ｖであるため、検出値Ｖｄは上限値Ｖｕを超えていない。したがって、制御部２３は、検出値Ｖｄが基準範囲Ｖｒ以内に収まっておらず、かつ上限値Ｖｕを超えていないことから、検出値Ｖｄが下限値Ｖｌ（１４Ｖ）未満であると判別して、スイッチ２９をコンデンサ２８側（図１に示すＡ端子側）に切り替えさせる（ステップ５３）。これにより、スイッチ２９、ＲＦケーブル２００および分配器４を介してコンデンサ２８からアンテナ３の受信回路３２に電力が供給される。
【００２５】
この場合、この受信装置２では、外部装置３００からの電力供給が停止された時点で、コンデンサ２８からの電力供給に瞬時に切り替えられるため、電力供給の停止に起因してアンテナ３からの放送信号Ｓｂの出力が停止される事態が確実に防止される。また、この受信装置２では、上記したように、起動時電力供給処理４０のステップ４４において、予め記憶部２４に記憶されていたデフォルト値（１３Ｖ）に代えて、アンテナ３に対して外部装置３００から電力が供給されている状態において検出された検出値Ｖｄ（１４Ｖ）を下限値Ｖｌとして記憶部２４に記憶させて、この新たな下限値Ｖｌを電力供給の切り替えの判別に用いている。このため、例えば、外部装置３００からの電力供給が停止されて電圧が徐々に低下する際に、デフォルト値を用いるのと比較して、電力供給停止時点からコンデンサ２８による電力供給開始時点までのタイムラグを十分に短縮することが可能となっている。
【００２６】
続いて、制御部２３は、電源部２７を起動させる（ステップ５４）。次いで、制御部２３は、電源部２７の起動から所定時間（電源部２７が定常状態となるのに必要な時間）を経過した時点で、スイッチ２９を電源部２７側（図１に示すＢ端子側）に切り替えさせる（ステップ５５）。これにより、受信回路３２に対するコンデンサ２８からの電力供給が電源部２７からの電力供給に切り替えられる。この場合、この受信装置２では、上記したように、外部装置３００からの電力供給が停止された時点で、コンデンサ２８からの電力供給に瞬時に切り替えられるため、この時点で電源部２７が起動していなかったとしても、電源部２７が定常状態となるまでの間、コンデンサ２８からの電力供給によってアンテナ３に印加される電圧が基準範囲Ｖｒ以内に維持される。このため、電圧低下によってアンテナ３による放送信号Ｓｂの受信が困難となる事態が確実に防止される。
【００２７】
次に、例えば、外部装置３００の電源が投入されて外部装置３００が再び起動したときには、アンテナ３に対する外部装置３００からの電力供給が開始される。この場合、この時点においては、受信装置２の電源部２７からの電力供給が開始されているため、外部装置３００および受信装置２の両者からの電力供給によってアンテナ３の受信回路３２に印加される電圧が、上限値Ｖｕ（１５Ｖ）を超えることがある。この際には、制御部２３は、稼動時電力供給処理５０のステップ５２において検出値Ｖｄが上限値Ｖｕを超えていると判別して、スイッチ２９をＯＦＦ側（図１に示すＣ端子側）に切り替えさせる（ステップ５６）。次いで、制御部２３は、電源部２７の作動を停止させて（ステップ５７）、続いて、他の外部装置（外部装置３００）から電力が供給されている旨を示す画像を表示させるための映像信号Ｓｐを出力する（ステップ５８）。これにより、図３に示すように、テレビ１００の表示画面にメッセージ画像ＧｍがＯＳＤ表示される。この場合、検出値Ｖｄが上限値Ｖｕを超えたときに受信装置２からの電力供給が停止されるため、受信装置２および外部装置３００の両者からの電力供給に起因する両装置２，３００および受信回路３２の故障の発生が確実に防止される。
【００２８】
なお、上記した起動時電力供給処理４０のステップ４３において検出値Ｖｄが下限値Ｖｌ未満のとき、つまり外部装置３００の電源が切断されていて、受信回路３２に電力が供給されていないときには、制御部２３は、電源部２７を起動させて電力供給を開始させた後に（ステップ４６）、上記した映像信号出力処理および稼動時電力供給処理５０を実行する。
【００２９】
このように、この受信装置２、受信システム１および電力供給制御方法によれば、制御部２３が、アンテナ３に対する電源部２７からの電力供給に先立ってコンデンサ２８からアンテナ３に対して電力を供給させると共に、その後にコンデンサ２８からの電力供給を電源部２７からの電力供給に切り替えることにより、例えば、外部装置３００からアンテナ３に供給されていた電力供給が停止したときに、その時点において電源部２７が起動していなかったとしても、電源部２７が定常状態となるまでの間、コンデンサ２８からの電力供給によってアンテナ３に印加される電圧を基準範囲Ｖｒ以内に確実に維持することができる。したがって、電圧低下によってアンテナ３による放送信号Ｓｂの受信が困難となる事態を確実に防止することができる結果、アンテナ３に対する電力供給の切り替えを行う際においても、放送信号Ｓｂを確実に受信することができる。
【００３０】
また、この受信装置２、受信システム１および電力供給制御方法によれば、制御部２３が、外部装置３００からアンテナ３に電力供給されている状態における検出値Ｖｄを下限値Ｖｌとして用いることにより、記憶部２４に予め記憶されているデフォルト値を用いるのと比較して、例えば、外部装置３００からの電力供給が停止されて電圧が徐々に低下する際に、電力供給停止時点からコンデンサ２８による電力供給開始時点までのタイムラグを十分に短縮することができる。
【００３１】
また、この受信装置２、受信システム１および電力供給制御方法によれば、制御部２３が、外部装置３００からアンテナ３に対して電力が供給されているときにその旨を示すメッセージ画像Ｇｍを表示させることにより、ユーザに対してアンテナ３に接続されている外部装置３００の稼動状態を確実に報知することができる。
【００３２】
なお、本発明は、上記の構成に限定されない。例えば、１台の外部装置３００がアンテナ３に接続されている例について上記したが２台以上の外部装置が接続されている状態においても上記した効果と同様の効果を実現することができる。また、メッセージ画像Ｇｍを表示させることによって他の外部装置からアンテナ３に電力が供給されている旨を報知する例について上記したが、報知の方法は、メッセージ画像Ｇｍの表示に限定されず、例えば、ＬＥＤを発光させる方法や、音を出力する方法等の各種の方法を採用することができる。また、受信装置２としてのＢＳチューナに本発明を適用した例について上記したが、ＣＳ（Communication Satellite ）放送信号を受信可能な受信装置や受信システムに適用することもできる。また、受信装置を備えたテレビやＤＶＤプレーヤに適用することもできる。
【図面の簡単な説明】
【００３３】
【図１】受信システム１の構成を示すブロック図である。
【図２】起動時電力供給処理４０のフローチャートである。
【図３】メッセージ画像Ｇｍの表示画面図である。
【図４】稼動時電力供給処理５０のフローチャートである。
【符号の説明】
【００３４】
１  受信システム、２  受信装置、３  アンテナ、３  制御部、２４  記憶部、２６  電圧検出部、２７  電源部、２８  コンデンサ、２９  スイッチ、３００  外部装置、Ｇｍ  メッセージ画像、Ｓｂ  放送信号、Ｖｄ  検出値、Ｖｌ  下限値
【図１】
2008131061.tif 000003
【図２】
2008131061.tif 000004
【図３】
2008131061.tif 000005
【図４】
2008131061.tif 000006